(57)【要約】      （修正有）【課題】収納ケースの内面からバリの飛び出しをなくして、バリによるシート生地の引っ掛かりをなくし、シートの滑らかな引き出しが行える、シート巻取装置に用いられる収納ケースの半完品及び収納ケースを提供する。【解決手段】収納ケース３０の半完品Ｈであって、底部３１と底部３１から連設される一対の内壁部３４、外壁部３７とを備え、一対の内壁部３４、外壁部３７の内面どうしを連結するブリッジ４２と、内壁部３４、外壁部３７内面から外面に向かう凹部４４を備え、ブリッジ４２には、ブリッジ４２を除去可能とする破断予定部４３が設けられ、破断予定部４３は、凹部４４内に配されている。【選択図】図４
2020128153.tif 000002
【特許請求の範囲】
【請求項１】
筒状の巻取シャフトと、
前記巻取シャフトに巻かれるシートと、
前記シートを巻き取り方向に付勢する付勢部材と、
断面視において、一端が開口し他端が閉形状とされ、内側に、前記巻取シャフト、前記シート、を収納可能な収納ケースと、
を備えるシート巻取装置に用いられる前記収納ケースの半完品であって、
底部と前記底部から連設される一対の壁部とを備え、
一対の前記壁部の内面どうしを連結するブリッジと、
前記壁部内面から外面に向かう凹部を備え、
前記ブリッジには、前記ブリッジを除去可能とする破断予定部が設けられ、
前記破断予定部は、前記凹部内に配されていることを特徴とする収納ケースの半完品。
【請求項２】
前記凹部の板厚が、前記破断予定部の板厚の二倍を超える板厚に形成されていることを特徴とする請求項１記載の収納ケースの半完品。
【請求項３】
前記収納ケースの開口端縁より前記底部側の位置に前記ブリッジが配されていることを特徴とする請求項１又は２記載の収納ケースの半完品。
【請求項４】
請求項１、２又は３に記載の前記収納ケースの半完品の、前記破断予定部が破断され、前記ブリッジが除去された状態である収納ケース。
【発明の詳細な説明】
【技術分野】
【０００１】
本発明は、筒状の巻取シャフトと、巻取シャフトに巻かれるシートと、シートを巻き取り方向に付勢する付勢部材と、を備えるシート巻取装置に用いられる収納ケースの半完品及び収納ケースに関するものである。
【背景技術】
【０００２】
従来のシート巻取装置、例えば、自動車用サンシェード装置として、特許文献１に記載されるものがあり、ドアパネルの窓枠下部に取り付けられ、内部に巻取軸を備えた収納ケースと、巻取軸に巻回されたシート（幕体）と、収納ケースの上部に設けられ、シートを引き出す通路となる引き出し部と、シートの一部範囲の上縁に取り付けられたフレームと、フレームに設けられ、窓枠上部に設けられた係合部に係合可能とされた被係合部と、を備えていた。
【０００３】
上記のシート巻取装置に用いられる収納ケースは、アルミニウム等の金属材料によって形成されるが、アルミニウムの押し出し工法で略Ｕ字形状にしたものが多かった。
【０００４】
アルミの押し出し材では、図６（ａ）に示すように、略Ｕ字のような開放形状を作成する場合、押し出し直後の冷却工程では、収納ケース１３０は、アルミニウムがまだ高温で柔らかいため、自重による変形が生じやすいので、最終的に要求精度を満たさない問題が発生する。
【０００５】
そこで、略Ｕ字形状の精度を高める技術として、図６（ｂ）に示すように、半完品Ｈの状態において、開口部１３２側の一部にブリッジ１４２を設けて、閉じた形状を作成することで、自重による変形を抑える方法が一般的に利用されている。
【０００６】
しかし、部品として使用する際は、ブリッジ１４２が不要となるため、プレス機などでブリッジ１４２部分を除去する工程が発生する。
【０００７】
ブリッジ１４２の除去は、生産コストを考慮するとプレス機による打ち抜き除去が一般的である。プレス機の型構造は、下型に製品を固定し、上型でブリッジ１４２の両端を切り落として行く。
【０００８】
この方法の問題としては、切り落とされた箇所は、図６（ｃ）に示すように、実際には引きちぎられたように分離していくため、Ｕ字構造とされた収納ケース１３０の内側に、０．５ｍｍ以下ではあるが、バリ１４５が生じてしまう。収納ケース１３０の中に巻き取られて入っているシートが、収納ケース１３０から出たり入ったりする際に、そのバリ１４５によって傷がついてしまう。
【０００９】
そのため、バリ１４５の影響をなくすために、薄いフェルトなどをその上に貼ることが一般的である。しかしそのようにしても、フェルトの一部に突起が出てしまうため、シートを引き出す際の負荷になって、操作荷重が重くなったり、フェルトの摩耗により、バリ１４５が露出してシートを傷つけてしまったり、するというおそれがあった。
【先行技術文献】
【特許文献】
【００１０】
【特許文献１】特開２０１０−１８８８１９号公報
【発明の概要】
【発明が解決しようとする課題】
【００１１】
本発明は、上記事情に鑑み、収納ケースの内面からバリの飛び出しをなくして、バリによるシート生地の引っ掛かりをなくし、シートの滑らかな引き出しが行える、シート巻取装置に用いられる収納ケースの半完品及び収納ケースを提供することを目的とする。
【課題を解決するための手段】
【００１２】
請求項１記載の発明では、筒状の巻取シャフトと、
前記巻取シャフトに巻かれるシートと、
前記シートを巻き取り方向に付勢する付勢部材と、
断面視において、一端が開口し他端が閉形状とされ、内側に、前記巻取シャフト、前記シート、を収納可能な収納ケースと、
を備えるシート巻取装置に用いられる前記収納ケースの半完品であって、
底部と前記底部から連設される一対の壁部とを備え、
一対の前記壁部の内面どうしを連結するブリッジと、
前記壁部内面から外面に向かう凹部を備え、
前記ブリッジには、前記ブリッジを除去可能とする破断予定部が設けられ、
前記破断予定部は、前記凹部内に配されている。
【００１３】
これによれば、ブリッジが除去されても収納ケースの凹部からバリの飛び出しがなくなり、バリによるシート生地の引っ掛かりがなくなるため、シートの滑らかな引き出しが行えるようになる。
【００１４】
また、前記凹部の板厚を、前記破断予定部の板厚の二倍を超える板厚に形成すれば、ブリッジを除去するときに凹部の変形を抑制できるので、最終的に要求精度を満たす収納ケースを提供することができる。
【００１５】
また、前記収納ケースの開口端縁より前記底部側の位置に前記ブリッジを配すれば、ブリッジより収納ケースの開口端縁側において、例えば、取り付けに関する穴あけ、切り起こし等のプレス加工を容易にすることができる。
【００１６】
また、請求項４記載の発明では、請求項１、２又は３に記載の前記収納ケースの半完品の、前記破断予定部が破断され、前記ブリッジが除去された状態である収納ケースとしている。
【００１７】
これによれば、上述した半完品の効果を奏する収納ケースとすることができる。
【図面の簡単な説明】
【００１８】
【図１】本発明の一実施形態の収納ケースを備える車両用ドアの（ａ）はカーテンを収納した状態の、（ｂ）はカーテンを引き上げた状態の側面図である。
【図２】図１（ａ）のＩＩ−ＩＩ線矢視断面図である。
【図３】図１（ｂ）のＩＩＩ−ＩＩＩ線矢視断面図である。
【図４】収納ケースの半完品の（ａ）は背面図、（ｂ）は破断予定部の部分拡大図である。
【図５】収納ケースの（ａ）は背面図、（ｂ）は破断予定部の部分拡大図である。
【図６】従来の収納ケースの説明図である。
【発明を実施するための形態】
【００１９】
本発明のシート巻取装置に用いられる収納ケースの一実施形態について図面に基づいて説明する。以下の説明では、図面に矢印が付される場合には、Ｆを前、Ｂを後ろ、Ｒを右、Ｌを左、Ｕを上、Ｄを下、とする。
【００２０】
本実施形態では、車両用後部ドア１に適用されるサンシェード装置の収納ケースを例示する。車両用後部ドア１は、図１（ａ）、（ｂ）に示すように、窓枠３を含むドアパネル２と、窓枠３内に配置された窓ガラス４と、シート巻取装置としてのサンシェード装置２０とを備えて構成されている。
【００２１】
ドアパネル２の内側には、図２、３に示すように、合成樹脂製の、上側内張り部材５と、内側内張り部材６と、が取り付けられている。上側内張り部材５と、内側内張り部材６とを介して、サンシェード装置２０が取り付けられている。
【００２２】
サンシェード装置２０は、図１、２、３に示すように、収納ケース３０と、収納ケース３０に対して回動可能に軸支される巻取シャフト５０と、巻取シャフト５０に巻き付けられるカーテン６０と、カーテン６０を巻き取り方向に付勢する付勢部材としてのコイルばね７０と、サイレンサーチューブ８０と、を備えている。なお、図３においては、コイルばね７０、サイレンサーチューブ８０を省略している。
【００２３】
図２、３に示す収納ケース３０は、アルミニウムで形成され、底部３１と底部３１から連設される一対の壁部３３（後述する、内壁部３４、外壁部３７）とを備えて、底部３１の反対側が開口する開口部３２を有する断面略Ｕ字状に形成されている。
【００２４】
収納ケース３０はその内部で、巻取シャフト５０の回動、及びカーテン６０の巻取り、繰出しを許容可能とされている。
【００２５】
一対の壁部３３は、底部３１を境界として、内壁部３４と、外壁部３７と、で構成されている。内壁部３４と、外壁部３７は、底部３１側から、半円筒状に形成される半円筒部３５、半円筒部３８と、平板状に形成される平板部３６、平板部３９と、をそれぞれ有している。
【００２６】
平板部３６には、図示しない左面から右面まで貫通する係止孔が形成され、合成樹脂製の取付部材７に形成された図示しない係止爪と係合可能とされている。そして、平板部３６は、取付部材７を介して内側内張り部材６に当接している。
【００２７】
また、平板部３９の上端部には水平取付部４０が、収納ケース３０の長手方向に沿って形成されている。そして、当該水平取付部４０に対して、上側内張り部材５を取り付けている。
【００２８】
また、半円筒部３８の下部には垂直取付部４１が、収納ケース３０の長手方向に沿って形成されている。そして、内側内張り部材６に対して、垂直取付部４１をビス４５で止めて取り付けている。
【００２９】
収納ケース３０は、開口部３２を上に向けた状態で、上側内張り部材５、内側内張り部材６に取り付けられている。
【００３０】
なお、収納ケース３０は、収納ケース３０の半完品Ｈの状態から、後述するブリッジ４２の破断予定部４３がせん断されて形成されている。ブリッジ４２及び破断予定部４３については、後で詳述する。
【００３１】
巻取シャフト５０、カーテン６０、コイルばね７０、サイレンサーチューブ８０については、本出願人が先にした特願２０１７−２３８４３７号におけるものと、機能、作用は本願発明においても同様であるので説明の全部又は一部を省略して簡単に説明する。（特願２０１７−２３８４３７号の巻取シャフト６０、カーテン７０、コイルばね９０、サイレンサーチューブ１００等を参照）
図２、３に示す巻取シャフト５０は、アルミニウムで円筒状に形成されている。
【００３２】
巻取シャフト５０の、前後端部に配設された図示しないブッシュ、回転軸により、巻取シャフト５０が、収納ケース３０に対して回動可能に軸支されている。
【００３３】
図２、３に示すカーテン６０は、合成樹脂繊維を布状に編んだもので、図示しない両面接着テープを介して巻取シャフト５０に巻き付けられている。
【００３４】
カーテン６０の上端部には、窓枠３に係止可能な係止部材が設けられて、窓枠３に係止可能とされている。
【００３５】
カーテン６０は、付勢部材としてのコイルばね７０により、巻き取り方向に付勢される。
【００３６】
図２に示すように、巻取シャフト５０と、コイルばね７０の間に、サイレンサーチューブ８０が、配設されている。サイレンサーチューブ８０は、巻取シャフト５０に固定されて、コイルばね７０に対して回動可能とされている。
【００３７】
そして、収納ケース３０の内部には、軸線方向を前後方向に向けた状態で巻取シャフト５０が軸線回りに回転可能に取り付けられている。この巻取シャフト５０はカーテン６０の一端が固定されると共に、図２に示すように、コイルばね７０によって、常に時計回りの方向へ付勢されている。これにより、開口部３２を通じて上側に引き出したカーテン６０を、巻取シャフト５０が巻き取る構成とされている。
【００３８】
サンシェード装置２０に配設される、収納ケース３０の半完品Ｈ及び収納ケース３０の製造過程を説明する。
【００３９】
図４（ａ）、（ｂ）に示すように、収納ケース３０の半完品Ｈは、アルミニウムの押し出し工法で成形される。カーテン６０を引き出す機能上、上部が開放した略Ｕ字形状になるが、図６（ａ）に示す従来の収納ケースのように形成すると、形成直後の自重変形で要求精度に影響が出てしまうため、後に取り除くブリッジ４２をあらかじめ設け、環状にして変形を抑制している。図４の（ａ）、（ｂ）にその実施例を示す。内壁部３４と外壁部３７とを連結するブリッジ４２が設けられている。
【００４０】
ブリッジ４２は完成品としては不要になるため、プレス機等を使用することで容易に取り除けるよう、ブリッジ４２の両端の接続箇所に、ブリッジ４２、内壁部３４、外壁部３７の板厚より薄い板厚で、せん断し易く形成されている破断予定部４３が配設されている。
【００４１】
収納ケース３０の半完品Ｈは、半円筒部３５と平板部３６、半円筒部３８と平板部３９、の境界周辺に破断予定部４３がそれぞれ配設されている。換言すれば、収納ケース３０の開口端縁より底部３１側の位置に破断予定部４３が配されている。
【００４２】
内壁部３４と、外壁部３７の、破断予定部４３が配設される周辺部分は、厚さが略同一に形成され、外側に突出するように形成され、内面から外面に向かう凹部４４をそれぞれ備えている。
【００４３】
本実施形態では、内壁部３４と外壁部３７の平板部３６、３９の板厚は、その一部を構成する凹部４４を含め、１．１ｍｍとなっている。また、ブリッジ４２の板厚は１．０ｍｍ、破断予定部４３の板厚は０．４ｍｍに設定されている。つまり、凹部４４の板厚は、破断予定部４３の板厚の二倍を超える板厚に形成されているといえる。
【００４４】
破断予定部４３は、凹部４４内に配されている。本実施形態では、凹部４４の内面から外面に向かう深さは、０．３ｍｍに設定され、破断予定部４３においてプレス機等により破断され、図５（ａ）、（ｂ）に示す、収納ケース３０の完成品となった状態において、破断予定部４３の破断された部分は、凹部４４の上端縁と下端縁とを結んだ直線よりも０．１ｍｍ内側となっている。換言すれば、破断予定部４３は、凹部４４の上端縁と下端縁とを結んだ直線よりも０．１ｍｍ内側の位置に設定されている。
【００４５】
以上のことより、ブリッジ４２が除去された状態において、収納ケース３０の凹部４４からバリの飛び出しがなくなり、バリによるカーテン６０の引っ掛かりがなくなるため、カーテン６０の滑らかな引き出しが行えるようになるといえる。
【００４６】
本実施形態では、図２、３に示すように、フェルト９０を、破断予定部４３を覆うように貼着しているので、カーテン６０がバタついてもカーテン６０が引っ掛からない構成とされている。
【００４７】
上記構成の収納ケース３０の半完品Ｈでは、筒状の巻取シャフト５０と、
巻取シャフト５０に巻かれるシートとしてのカーテン６０と、
カーテン６０を巻き取り方向に付勢する付勢部材としてのコイルばね７０と、
断面視において、一端が開口し他端が閉形状とされ、内側に、巻取シャフト５０、カーテン６０、及び、コイルばね７０を収納可能な収納ケース３０と、
を備えるシート巻取装置としてのサンシェード装置２０に用いられる収納ケース３０の半完品Ｈであって、
底部３１と底部３１から連設される一対の壁部３３とを備え、
一対の壁部３３の内面どうしを連結するブリッジ４２と、
壁部３３内面から外面に向かう凹部４４を備え、
ブリッジ４２には、ブリッジ４２を除去可能とする破断予定部４３が設けられ、
破断予定部４３は、凹部４４内に配されている。
【００４８】
これによれば、ブリッジ４２が除去されても収納ケース３０の凹部４４からバリの飛び出しがなくなり、バリによるカーテン６０の引っ掛かりがなくなるため、カーテン６０の滑らかな引き出しが行えるようになる。
【００４９】
また、凹部４４の板厚を、破断予定部４３の板厚の二倍を超える板厚に形成しているので、ブリッジ４２を除去するときに凹部４４の変形を抑制できるので、最終的に要求精度を満たす収納ケース３０を提供することができる。
【００５０】
また、収納ケース３０の開口端縁より底部３１側の位置にブリッジ４２を配しているので、ブリッジ４２より収納ケース３０の開口端縁側において、取り付けに関する穴あけ、切り落とし等のプレス加工を容易にすることができる。
【００５１】
また、収納ケース３０の半完品Ｈの、破断予定部４３が破断され、ブリッジ４２が除去された状態である収納ケース３０としている。
【００５２】
これによれば、上述した半完品Ｈの効果を奏する収納ケース３０とすることができる。
【００５３】
本発明の収納ケースの半完品及び収納ケースは上記構成に限定されるものではない。即ち、本発明の要旨を逸脱しない限り各種の設計変更等が可能である。
【００５４】
例えば、ブリッジ４２を除去するときに変形を抑制できるのであれば、凹部４４を構成する、内壁部３４、外壁部３７の板厚は、破断予定部４３の板厚の二倍を超える板厚で、実施態様に応じて適宜変更することができる。
【００５５】
また、凹部４４の内面から外面に向かう長さと、破断予定部４３の破断された部分とは、凹部４４の上端縁と下端縁とを結んだ直線よりも０．１ｍｍ内側となっているが、実施態様に応じて適宜変更することができる。
【００５６】
また、凹部４４の位置も、実施態様に応じて適宜変更することができる。
【００５７】
また、上記実施形態では、シート巻取装置としてサンシェード装置２０を例示したが、トノカバー等、シートを巻き取り可能な装置に適用することができる。
【００５８】
また、収納ケース３０の断面視における形状は、略Ｕ字形状としたが、内側に、少なくとも、巻取シャフト５０、カーテン６０、を収納可能であれば、断面コの字状、Ｖ字状等他の形状とすることができる。
【００５９】
また、コイルばね７０を、収納ケース３０の外側に配するシート巻取装置等においても、適用することも可能である。
【符号の説明】
【００６０】
２０  サンシェード装置
３０  収納ケース
３１  底部
３３  壁部
４２  ブリッジ
４３  破断予定部
４４  凹部
５０  巻取シャフト
６０  カーテン
７０  コイルばね
Ｈ  半完品
【図１】
2020128153.tif 000003
【図２】
2020128153.tif 000004
【図３】
2020128153.tif 000005
【図４】
2020128153.tif 000006
【図５】
2020128153.tif 000007
【図６】
2020128153.tif 000008